(57)【要約】【課題】回覧文書の正当性を保証することができる文書回覧補助装置を提供する。【解決手段】回覧情報が書き込まれたＩＣタグＮが付着されている回覧文書Ｍとともに回覧される装置本体１１と、原本となる回覧情報を予め記憶する記憶手段１３と、前記ＩＣタグの回覧情報を読み取る読取手段１２と、記憶手段１３に記憶されている原本の回覧情報、及び読取手段により読み取られた回覧情報を表示する表示手段１５を備えている。あるいは、記憶手段１３に記憶されている原本の回覧情報、及び読取手段により読み取られた回覧情報を比較する比較手段１７を備える。【選択図】  図３
2007193712.tif 000002
【特許請求の範囲】
【請求項１】
回覧情報が書き込まれたＩＣタグが付着されている回覧文書とともに回覧される装置本体と、
前記装置本体に設けられ、原本となる回覧情報を予め記憶する記憶手段と、
前記装置本体に設けられ、前記回覧文書に付着されたＩＣタグの回覧情報を読み取る読取手段と、
前記装置本体に設けられ、前記記憶手段に記憶された原本の回覧情報、及び前記読取手段により読み取られた前記ＩＣタグの回覧情報を表示する表示手段と、
を備えていることを特徴とする文書回覧補助装置。
【請求項２】
回覧情報が書き込まれたＩＣタグが付着されている回覧文書とともに回覧される装置本体と、
前記装置本体に設けられ、原本となる回覧情報を予め記憶する記憶手段と、
前記装置本体に設けられ、前記回覧文書に付着されたＩＣタグの回覧情報を読み取る読取手段と、
前記装置本体に設けられ、前記記憶手段に記憶された原本の回覧情報と、前記読取手段により読み取られた前記ＩＣタグの回覧情報を比較する比較手段と、
比較結果を表示する表示手段と、
を備えていることを特徴とする文書回覧補助装置。
【請求項３】
回覧文書の回覧開始元である回覧者または回覧先である被回覧者の指示を入力する入力手段を備え、
前記記憶手段への原本となる回覧情報の記憶は、回覧者によって回覧情報が書き込まれたＩＣタグの前記読み取り手段による読み取り後に、回覧者によってなされた前記入力手段による記憶指示に基づいて行われる請求項１または２に記載の文書回覧補助装置。
【請求項４】
回覧文書の回覧開始元である回覧者の端末に対してネートワークを介してデータ送受が行える通信手段を備えている請求項１または２に記載の文書回覧補助装置。
【請求項５】
回覧文書の回覧開始元である回覧者または回覧先である被回覧者の指示を入力する入力手段と、前記回覧者の端末に対してネートワークを介してデータ授受が行える通信手段を備え、
前記通信手段は、回覧文書に欠落ページがあった場合、被回覧者によってなされた前記入力手段による送信指示に従って、当該欠落ページ番号を回覧者の端末に送信する請求項１または２に記載の文書回覧補助装置。
【請求項６】
前記欠落ページの格納先のリンク情報が回覧者から送信された場合には、前記通信手段はこれを受信し、表示手段は受信されたリンク情報を表示する請求項５に記載の文書回覧補助装置。
【請求項７】
回覧文書の回覧開始元である回覧者または回覧先である被回覧者の指示を入力する入力手段を備え、
前記被回覧者が、前記入力手段により回覧状況を入力可能となされている請求項１または２に記載の文書回覧補助装置。
【発明の詳細な説明】
【技術分野】
【０００１】
この発明は、回覧者から被回覧者に回覧文書とともに順次受け渡される文書回覧補助装置に関する。
【背景技術】
【０００２】
企業やオフィスなどでは、例えば複数ページにわたる回覧文書を回覧する場合、回覧者が該回覧文書を封筒などに入れて、被回覧者に順次、回覧するのが一般的である。
【０００３】
また、最近では、磁気記録層を備えた回覧用紙を回覧文書に添付し、無線ＩＣタグを備えた認証ツールと、無線ＩＣタグリーダおよび磁気リーダライタを備えた認証情報読み書き装置とを用いて、回覧用紙およびサーバに回覧識別番号および認証情報を記録し、回覧文書ＩＤと認証ツールとから、回覧文書がどこまで回覧されているかをサーバで管理するようにした技術が提案されている（例えば特許文献１）。
【０００４】
また、書類を挟むクリップとして、書類情報や回覧者情報などが格納された記憶装置と、記憶装置のデータを表示する表示装置と、データの入力装置と、データ送受信装置とを備えた電子クリップを用意し、ＰＤＡなどの情報端末から転送されてきた書類情報（書類内容および書類回覧期限など）を電子クリップに表示できるようにした技術が提案されている（例えば特許文献２）。
【特許文献１】特開２００５−２２２２８０号公報
【特許文献２】特開２００３−６３１８２号公報
【発明の開示】
【発明が解決しようとする課題】
【０００５】
しかし、前述した回覧文書を封筒に入れて回覧する従来一般の回覧方法では、単に回覧文書をそのまま順送りするだけであるから、回覧途中で回覧文書のページ欠落があったり、回覧文書が入れ替わったりしても、どの時点でそれが発生したのかが分りにくい。つまり、回覧途中での回覧文書の正当性を確認することが難しい。
【０００６】
また、上記特許文献１に記載された公知技術では、回覧文書が認証ツールを所有している被回覧者のどこまで回覧されたかをサーバで把握できるだけであり、回覧文書の正当性を保証することができないものである。
【０００７】
また、上記特許文献２に記載された公知技術では、回覧文書に添付する被回覧者一覧や回覧期限などの回覧情報を、電子クリップの表示装置に表示させるだけでであり、その表示内容を確認するものではないから、回覧文書の正当性を保証することができない。
【０００８】
この発明は、回覧文書の正当性を保証することができる文書回覧補助装置を提供することを課題とする。
【課題を解決するための手段】
【０００９】
（１）回覧情報が書き込まれたＩＣタグが付着されている回覧文書とともに回覧される装置本体と、前記装置本体に設けられ、原本となる回覧情報を予め記憶する記憶手段と、前記装置本体に設けられ、前記回覧文書に付着されたＩＣタグの回覧情報を読み取る読取手段と、前記装置本体に設けられ、前記記憶手段に記憶された原本の回覧情報、及び前記読取手段により読み取られた前記ＩＣタグの回覧情報を表示する表示手段と、を備えていることを特徴とする文書回覧補助装置。
【００１０】
（２）回覧情報が書き込まれたＩＣタグが付着されている回覧文書とともに回覧される装置本体と、前記装置本体に設けられ、原本となる回覧情報を予め記憶する記憶手段と、前記装置本体に設けられ、前記回覧文書に付着されたＩＣタグの回覧情報を読み取る読取手段と、前記装置本体に設けられ、前記記憶手段に記憶された原本の回覧情報と、前記読取手段により読み取られた前記ＩＣタグの回覧情報を比較する比較手段と、比較結果を表示する表示手段と、を備えていることを特徴とする文書回覧補助装置。
【００１１】
（３）回覧文書の回覧開始元である回覧者または回覧先である被回覧者の指示を入力する入力手段を備え、前記記憶手段への原本となる回覧情報の記憶は、回覧者によって回覧情報が書き込まれたＩＣタグの前記読み取り手段による読み取り後に、回覧者によってなされた前記入力手段による記憶指示に基づいて行われる前項１または２に記載の文書回覧補助装置。
【００１２】
（４）回覧文書の回覧開始元である回覧者の端末に対してネートワークを介してデータ送受が行える通信手段を備えている前項１または２に記載の文書回覧補助装置。
【００１３】
（５）回覧文書の回覧開始元である回覧者または回覧先である被回覧者の指示を入力する入力手段と、前記回覧者の端末に対してネートワークを介してデータ授受が行える通信手段を備え、前記通信手段は、回覧文書に欠落ページがあった場合、被回覧者によってなされた前記入力手段による送信指示に従って、当該欠落ページ番号を回覧者の端末に送信する前項１または２に記載の文書回覧補助装置。
【００１４】
（６）前記欠落ページの格納先のリンク情報が回覧者から送信された場合には、前記通信手段はこれを受信し、表示手段は受信されたリンク情報を表示する前項５に記載の文書回覧補助装置。
【００１５】
（７）回覧文書の回覧開始元である回覧者または回覧先である被回覧者の指示を入力する入力手段を備え、前記被回覧者が、前記入力手段により回覧状況を入力可能となされている前項１または２に記載の文書回覧補助装置。
【発明の効果】
【００１６】
前項（１）に記載の発明によれば、被回覧者が回覧文書の閲覧時に、記憶手段に予め記憶されている原本の回覧情報と、読取手段により読み取られた前記回覧文書に付着されたＩＣタグの回覧情報を表示手段に表示させることにより、両者の内容を比較照合することができる。つまり、回覧文書に付着されたＩＣタグの回覧情報が、予め記憶されている原本の回覧情報と同じであれば、回覧文書の正当性が保証されたことになる。従って、簡単な構成により、回覧文書の正当性を保証することが可能となる。
【００１７】
前項（２）に記載の発明によれば、記憶手段に予め記憶されている原本の回覧情報と、読取手段により読み取られた前記回覧文書に付着されたＩＣタグの回覧情報とが、自動的に比較照合され、比較結果が表示手段に表示されるから、回覧文書の正当性を自動的に判断させることができ、便利で使い勝手の良い文書回覧補助装置となしうる。
【００１８】
前項（３）に記載の発明によれば、回覧者によって回覧情報が書き込まれたＩＣタグの前記読み取り手段による読み取り後に、回覧者が記憶指示を入力手段に入力することにより、原本となる回覧情報を記憶手段へ容易に記憶させることができる。
【００１９】
前項（４）に記載の発明によれば、回覧開始元の回覧者の端末にネットワークを介して種々の情報を迅速に転送することができる。
【００２０】
前項（５）に記載の発明によれば、回覧文書に欠落ページがあった場合、被回覧者による送信指示があれば、通信手段を介して当該欠落ページ番号が回覧者に通知される。つまり、欠落ページなどを特定して回覧者に通知できるので、回覧者は、その欠落ページを再回覧させたり、印刷できるような方策を提示することが可能となる。
【００２１】
前項（６）に記載の発明によれば、欠落ページの格納先のリンク情報が回覧者から送信された場合には、そのリンク情報が表示手段に表示されるから、被回覧者は、リンク情報に基づき欠落ページの格納先にアクセスしてこれを入手することが可能となる。
【００２２】
前項（７）に記載の発明によれば、被回覧者が入力手段により回覧状況を入力可能となされているから、回覧途中に回覧文書が欠落した場合、どの被回覧者のところで欠落したかなどを容易に特定できる。
【発明を実施するための最良の形態】
【００２３】
以下、この発明の一実施形態を図面に基づいて説明する。
【００２４】
図１は、この発明の一実施形態に係る文書回覧補助装置が適用された文書回覧システムを示す概略構成図、図２は、同じく文書回覧補助装置を示す外観図である。
【００２５】
図１および図２において、この文書回覧システムは、文書回覧補助装置１と、回覧者端末２と、サーバ３とを備え、これら文書回覧補助装置１、回覧者端末２およびサーバ３はネットワーク４を介して接続されている。
【００２６】
ここで、使用される回覧文書Ｍは、図２に示すように、回覧要件が記載（印刷）された１枚もしくは複数の用紙ＭＡと、この用紙（用紙が複数枚の場合は各用紙）に埋設されて、用紙（用紙が複数枚の場合は各用紙）に回覧情報が書き込まれた無線（非接触）式のＩＣタグＮとから構成されている。
【００２７】
前記ＩＣタグＮに書き込まれた回覧情報は、例えば、図４に示すように、タイトル、枚数（総ページ数）、ページ番号、回覧文書作成者、回覧者（回覧開始元）、被回覧者情報、および回覧期限などである。
【００２８】
前記文書回覧補助装置１は、図２に示す回覧文書Ｍを収容して、該回覧文書Ｍと一緒に回覧者から被回覧者に順次、回覧されるようになっている。
【００２９】
前記回覧者端末２としては、例えば、ＰＤＡ等の情報端末やパーソナルコンピュータなどが使用される。
【００３０】
前記サーバ３は、回覧文書の全ページの格納先のリンク情報であるＵＲＬ（Uniform Resource Locator）などを保存している。
【００３１】
図２および図３は、それぞれ前記文書回覧補助装置１の外観図、および電気的構成を示すブロック図である。
【００３２】
図２および図３において、文書回覧補助装置１は、回覧文書Ｍを収容するための装置本体１１と、ＣＰＵ１０と、データ読取部１２と、記憶部１３と、入力部１４と、表示部１５と、通信部１６と、比較部１７とを備えている。
【００３３】
前記装置本体１１は、例えば薄箱形に形成されており、前記回覧文書Ｍを収容できるようになっている。
【００３４】
前記ＣＰＵ１０は、前記装置本体１１に設けられ、全体動作を統括制御する他に、回覧文書ＭのＩＣタグＮに書き込まれている回覧情報のデータと前記記憶部１３に記憶された回覧情報のデータを比較部１７で比較させて、比較結果を表示部１５に表示させる等の機能を有している。
【００３５】
前記データ読取部１２は、前記装置本体１１に設けられ、前記回覧文書ＭにおけるＩＣタグＮの回覧情報のデータを読み取るものである。
【００３６】
前記記憶部１３は、前記装置本体１１に設けられ、回覧情報の原本データ等を記憶するものである。
【００３７】
前記入力部１４は、ＩＣタグＮのデータの読み取り指示や回覧状況を入力するものであり、図２に示すように、装置本体１１の表面に配備されたキー部などからなる。
【００３８】
前記表示部１５は、前記ＩＣタグＮから読み取った回覧情報のデータや、記憶部１３に記憶されている回覧情報のデータや、比較部１７による比較結果等の各種のデータを表示するものであり、図２に示すように、装置本体１１の表面に配備されている。
【００３９】
前記通信部１６は、前記装置本体１１に設けられ、回覧者の端末２との間でのデータの送受信を司るインターフェース部として機能するものである。この通信部１６の通信は、有線、無線は問わないが、回覧の性質上、無線の方が望ましい。
【００４０】
前記比較部１７は、記憶部１３に記憶された原本の回覧情報と、回覧文書ＭのＩＣタグＮに書き込まれた回覧情報を比較するものであり、その結果は表示部１５により表示される。この比較部１７は、ＣＰＵ１０の機能の一部として構成されても良い。
【００４１】
なお、この文書回覧補助装置１の駆動には、乾電池や充電池などの任意の電源が採用可能である。
【００４２】
つぎに、回覧開始元である回覧者が前記回覧文書を回覧させる際の文書回覧補助装置１の取り扱い手順について説明する。
【００４３】
まず、回覧者が回覧文書ＭのＩＣタグＮに所定の回覧情報を書き込んだのち、回覧文書Ｍを装置本体１１に収容した状態で、回覧者が入力部１４を使って、前記ＩＣタグＮのデータの読み取り指示を入力すると、データ読み取り部１２で読み取られたＩＣタグＮの回覧情報が表示部１５に表示される。
【００４４】
回覧者は、表示部１５に表示されたデータを確認し、表示内容に間違いがあれば、回覧情報のデータを修正してＩＣタグＮに書き込み（上書き）、再度、読み出し指示を入力して表示部１５に表示させることができる。なお、ＩＣタグＮに書き込みは、別装置で行えばよい。
【００４５】
回覧者は、表示部１４に表示された情報を確認し、表示内容に間違いがなければ、入力部１４を操作して、ＩＣタグＮのデータを記憶部１３に記憶保存するための指示を行う。こうして記憶部１３に記憶された回覧情報のデータが原本となる。
【００４６】
そして、回覧を開始して、回覧文書Ｍをこの文書回覧補助装置と一緒に最初の被回覧者に渡す。
【００４７】
回覧者が回覧文書を回覧させる際に、文書回覧補助装置１によって行われる処理の流れを図５のフローチャートを参照して説明する。
【００４８】
図５において、ステップＳ１０１では、回覧者によって回覧文書ＭにおけるＩＣタグＮのデータを読み取る指示があったか否かを判断し、ＩＣタグＮのデータを読み取る指示があれば（ステップＳ１０１でＹＥＳ）、ステップＳ１０２では、ＩＣタグＮのデータを読み取って表示部１５に表示し、ＩＣタグＮのデータを読み取る指示がなければ（ステップＳ１０１でＮＯ）、読み取り指示があるまで待つ。
【００４９】
ついで、ステップＳ１０３では、ＩＣタグＮから読み取ったデータを記憶部１３に記憶させる指示があったか否かを判断し、読み取ったデータを記憶部１３に記憶させる指示がなければ（ステップＳ１０３でＮＯ）、記憶指示があるまで待ち、読み取ったデータを記憶部１３に記憶させる指示があれば（ステップＳ１０３でＹＥＳ）、ステップＳ１０４では、データを記憶部１３に原本として記憶して終了する。
【００５０】
このように、ＩＣタグＮに書き込まれた回覧情報のデータを、回覧文書Ｍが収容される装置本体１１における記憶部１３に原本として記憶させるから、その回覧文書Ｍを被回覧者が閲覧する際に、回覧文書ＮのＩＣタグＮのデータと、記憶部１３に記憶されている原本データとを比較することにより、回覧文書の正当性を保証できる。
【００５１】
つぎに、被回覧者が前記回覧文書Ｍを閲覧する際の文書回覧補助装置１の取り扱い手順について説明する。
【００５２】
回覧文書Ｍが収容された文書回覧補助装置１を被回覧者が受け取ると、まず、記憶部１３に保存されたデータを表示部１５で表示するための指示を入力する。その記憶部１３に保存されたデータが表示部１５に表示されると、被回覧者は、被回覧者名などを確認する。
【００５３】
表示中の被回覧者名のなかに自分の名前が含まれていない場合は、その回覧文書Ｍを文書回覧補助装置１と一緒に、表示されている正規の被回覧者に回して回覧させる。
【００５４】
自分の名前が表示中の被回覧者に中に含まれている場合には、その被回覧者が回覧文書Ｍの確認指示を入力部１４により入力すると、記憶部１３に記憶された原本のデータと回覧文書ＭのＩＣタグＮのデータが比較部１７により自動比較され、比較結果が表示部１５に表示される。
【００５５】
比較結果がＯＫの場合、換言すれば両方の回覧文書が一致している場合、被回覧者は、回覧文書Ｍを確認した後、被回覧者情報に含まれていた被回覧者自身のＩＤを、回覧状況として入力部１４から入力することにより、記憶部１３に閲覧完了情報を記憶させる。このように、被回覧者が、回覧文書Ｍを確認した後、被回覧者情報に含まれていた被回覧者自身のＩＤを入力することで、回覧状況を把握でき、回覧途中に回覧文書が欠落した場合、どの被回覧者のところで欠落したかなどを特定できる。
【００５６】
比較結果がＮＧの場合、換言すれば両方の回覧文書が不一致の場合には、具体的な内容が表示部１５に表示される。例えば「３ページ目が不足しています」あるいは「文書が欠落しています」などである。この場合は、被回覧者が入力部１４を使って通知指示を入力し、通信部１６を介して回覧者の端末２に通知する。
【００５７】
このように、この実施形態では、記憶部１３に予め記憶されている原本の回覧情報と、読み取り部１２により読み取られた前記回覧文書Ｍに付着されたＩＣタグＮの回覧情報とが、自動的に比較照合され、比較結果が表示部１５に表示されるから、回覧文書の正当性の判断が自動的に行われることになり、操作性を向上でき、便利で使い勝手の良いものとなる。
【００５８】
しかも、回覧開始元の回覧者の端末２にネットワーク４を介して比較結果等を送信できるから、回覧者は種々の対策を講じることができる。
【００５９】
被回覧者が回覧文書を閲覧確認をする時に、文書回覧補助装置１が行う処理の流れを図６にフローチャートを参照して説明する。
【００６０】
図６において、ステップＳ２０１では、回覧文書Ｍを受け取った被回覧者によって、記憶部１３に記憶されたデータの表示の指示がなされたか否かを判断し、データ表示の指示がなされなければ（ステップＳ２０１でＮＯ）、表示指示がなされるのを待つ。
【００６１】
データ表示の指示がなされれば（ステップＳ２０１でＹＥＳ）、ステップＳ２０２では、記憶部１３に記憶されている回覧情報のデータを表示部１５に表示する。
【００６２】
その後、被回覧者が表示を見て被回覧者や回覧期限などを確認した後、必要に応じて表示解除を行う。
【００６３】
文書回覧補助装置１は、ステップｓ２０３で、表示解除の指示があったか否かを判断し、表示解除の指示があると（ステップＳ２０３でＹＥＳ）、ステップＳ２０４で表示を解除したのち、終了する。
【００６４】
表示解除の指示がなければ（ステップＳ２０３でＮＯ）、ステップＳ２０５では、ＩＣタグＮの回覧情報のデータと記憶部１３に記憶されている原本の回覧情報のデータとの比較の指示がなされたか否かを判断し、比較指示がなされなければ（ステップＳ２０５でＮＯ）、比較指示がなされるのを待つ。
【００６５】
比較指示がなされると（ステップＳ２０５でＹＥＳ）、ステップＳ２０６では、ＩＣタグＮの回覧情報のデータを読み取り部１２により読み取るとともに、読み取ったデータと記憶部１３に記憶されている原本の回覧情報のデータとの比較を行う。そして、ステップＳ２０７では、比較結果、例えば両者が一致している旨や、不一致の場合の内容（「３ページ目が不足しています」あるいは「文書が欠落しています」など）を、表示部１５に表示する。
【００６６】
ついで、ステップＳ２０８では、比較結果を見た被回覧者から回覧者に対しての通知指示がなされたか否かを判断し、回覧者に対して通知指示がなされなければ（ステップＳ２０８でＹＥＳ）、ステップＳ２１０では、被回覧者情報に含まれている被回覧者のＩＤが入力されたか否かを判断する。被回覧者のＩＤの入力がなされなければ（ステップＳ２１０でＮＯ）、ステップＳ２０８に戻って回覧者への通知指示がなされるを待つ。被回覧者のＩＤの入力がなされると（ステップＳ２１０でＹＥＳ）、ステップＳ２１１では、被回覧者による閲覧完了の情報を記憶部１３に記憶させて終了する。
【００６７】
一方、ステップＳ２０８において、回覧者に対する通知指示がなされると（ステップＳ２０８でＹＥＳ）、ステップＳ２０９では、通信部１６により、回覧者に対して回覧文書のタイトル、欠落ページ等を通知する。
【００６８】
通知を受けた回覧者は、欠落ページの文書をサーバ３にアップし、そのＵＲＬを文書回覧補助装置１に送信すると、通信部１３によりこれが受信され、表示部１５に表示される。被回覧者は、表示部１５に表示されたＵＲＬにアクセスして、欠落ページの文書Ｍを図示しないプリンタ等により印刷し、この補充ページを加えて回覧文書Ｍを文書回覧補助装置１と一緒に次の被回覧者に回覧する。
【００６９】
なお、欠落ペ−ジについて、次の被回覧者が閲覧する時の比較対象から外れるように、現在の被回覧者がそのことを入力しておくものとしても良い。
【００７０】
以上説明した実施形態では、記憶部１３に記憶されている原本の回覧情報の内容と、回覧文書に付着されたＩＣタグＮの回覧情報とを自動的に比較して、その結果を表示させる構成としたが、記憶部１３に記憶されている原本の回覧情報と、回覧文書に付着されたＩＣタグＮの回覧情報を表示部１５に表示させることにより、被回覧者が両者を比較する構成としても良い。この場合も、回覧文書に付着されたＩＣタグの回覧情報が、予め記憶されている原本の回覧情報と同じかどうかにより、回覧文書の正当性を保証することができる。
【図面の簡単な説明】
【００７１】
【図１】この発明の一実施形態に係る文書回覧補助装置が用いられた文書回覧システムを示す構成図である。
【図２】同じく文書回覧補助装置を示す外観図である。
【図３】同じく文書回覧補助装置の電気的構成を示すブロック図である。
【図４】同じく回覧文書の無線ＩＣタグに書き込まれた回覧情報の一例を示す図である。
【図５】回覧者が回覧文書を回覧させる際に、文書回覧補助装置によって行われる処理の流れを示すフローチャートである。
【図６】被回覧者が文書回覧補助装置を使って回覧文書の閲覧確認を行う際に、文書回覧補助装置によって行われる処理の流れを示すフローチャートである。
【符号の説明】
【００７２】
１            文書回覧補助装置
１１          装置本体
１２          読み取り部
１３          記憶部
１４          入力部
１５          表示部
１６          通信部
１７          比較部
Ｍ            回覧文書
Ｎ            ＩＣタグ
【図１】
2007193712.tif 000003
【図２】
2007193712.tif 000004
【図３】
2007193712.tif 000005
【図４】
2007193712.tif 000006
【図５】
2007193712.tif 000007
【図６】
2007193712.tif 000008